(57)【要約】【課題】構造簡易で廉価であり、携帯性の向上を図る。【解決手段】プラスチックシートによって成形された長尺のチューブ体をコイル状に巻回してなる包装用袋素材２と、この包装用袋素材２を収納するとともにその一端部からやや挟持状態で連続して外部へと引き出すための引出孔１２と引き出された包装用袋素材２の端部２ａを任意の長さで切断する切断部８とが設けられたパッケージ３とからなる。パッケージ３が、切断部８を設けた台紙５と、この台紙５の主面に接合されることにより包装用袋素材２を封装する収納空間部７を構成する略薄箱状のブリスタ６とからなり、ブリスタ６の主面６ａに引出孔１２を設けてなる。【選択図】　図１
0003097437.tif 000002
【実用新案登録請求の範囲】
【請求項１】
プラスチックシートによって成形された長尺のチューブ体をコイル状に巻回してなる包装用袋素材と、前記包装用袋素材を収納するとともに、その一端部からやや挟持状態で連続して外部へと引き出すための引出孔と、引き出された前記包装用袋素材を任意の長さで切断する切断部とが設けられたパッケージとからなり、前記パッケージが、台紙と、この台紙の一方主面に接合されることにより内部空間に前記包装用袋素材を封装する略薄箱状のブリスタとからなり、前記台紙の側縁部に前記切断部を設けるとともに、前記内部空間を挟んで相対向する前記ブリスタの主面に前記引出孔を設けたことを特徴とする包装用袋体分配装置。
【考案の詳細な説明】
【０００１】
【考案の属する技術分野】
本考案は、プラスチックシートによって成形した長尺のチューブ体をコイル状に巻回してなる包装用袋素材をパッケージ内に収納するとともに、パッケージから引き出した包装用袋素材を適当な長さで切断した後にその両端部を結束等することにより包装袋として使用に供するようにする包装用袋体分配装置に関する。
【０００２】
【従来の技術】
プラスチック製の包装袋は、柔軟で嵩張らず耐水性を有するとともに強靱であるといった特性を有することから、雑貨、食品或いは小物等の種々の物品を包装するために用いられている。従来の包装袋は、一般に一方を残してその他の周辺部をシールして１枚ずつに形成されていた。かかる従来の包装袋においては、物品の大きさや形状等に応じて何種類も用意しなければならなかった。
【０００３】
このような課題を解決するため、プラスチックフィルムからなる長さ自在の袋用連続チューブと、この連続チューブを巻回した状態で収納するとともに取出口と切断手段とが設けられた分配容器とからなる包装体が開発された。この包装体によれば、分配容器の取出口から袋用連続チューブを必要な長さを引き出して切断手段し、端部を結ぶことによって任意の大きさの包装袋が形成される。
【０００４】
【考案が解決しようとする課題】
上述した包装体においては、有底円筒形状の分配容器の上面部に取出口を設けるとともにこの取出口から離れた位置の分配容器の外周縁に切断手段が設けられており、分配容器の外部で袋用連続チューブがある程度の長さを有して切断されるように構成している。この包装体においては、これによって持ち運び時等において袋用連続チューブの端部が内部に引き込まれないようにしている。
【０００５】
ところで、この包装体は、必要な大きさの包装袋を適宜形成することが可能であり、旅行等に携行して用いると極めて便利である。しかしながら、かかる包装体は、分配容器の上部に取出口と切断手段とが設けられることから、分配容器がある程度の大きさを有するとともに所定の強度を有して形成しなければならない。したがって、この包装体は、全体として嵩張り、そのううえコスト高となるために全体として高価となるといった課題があった。
【０００６】
したがって、本考案は、上述した包装体の課題を解消して、構造簡易で廉価であり、携帯性の向上を図った包装用袋体分配装置を提供するものである。
【０００７】
【課題を解決するための手段】
上述した目的を達成する本考案にかかる包装用袋体分配装置は、プラスチックシートによって成形された長尺のチューブ体をコイル状に巻回してなる包装用袋素材と、この包装用袋素材を収納するとともにその一端部からやや挟持状態で連続して外部へと引き出すための引出孔と引き出された包装用袋素材を任意の長さで切断する切断部とが設けられたパッケージとからなる。包装用袋体分配装置は、パッケージが、台紙と、この台紙の一方主面に接合されることにより内部空間に包装用袋素材を封装する略薄箱状のブリスタとからなり、台紙の側縁部に切断部を設けるとともに、内部空間を挟んで相対向するブリスタの主面に引出孔を設けてなる。
【０００８】
以上のように構成された本考案にかかる包装用袋体分配装置によれば、台紙と包装用袋素材を封装したブリスタとからなる展示形態のままで使用されることによってパッケージコストが大幅に低減され、全体として廉価に得ることが可能となる。包装用袋体分配装置によれば、全体が薄型に構成されるとともに台紙側に切断部を設けるとともにブリスタ側に包装用袋素材を引き出す引出孔を設けてそれらの間隔を充分に保持するようにしたことから、手軽に携行して必要な包装袋を形成することが可能であるとともに、包装用袋素材の切断端部が引出孔からパッケージ内に引き込まれることも防止される。
【０００９】
【考案の実施の形態】
以下、本考案について、図面に示した実施の形態によって詳細に説明する。実施の形態として図１及び図２に示した包装用袋体分配装置１は、プラスチックシートによって成形された長尺のチューブ体をコイル状に巻回してなる包装用袋素材２と、この包装用袋素材２のコイル体を収納するとともに適当な長さに切断するパッケージ３とから構成される。包装用袋体分配装置１は、包装用袋素材２を必要な長さに切断することによって、図３に示すように任意の大きさの包装用袋体４を形成する。
【００１０】
包装用袋素材２には、薄厚であり充分な強度と可撓性を有する適宜の樹脂材、例えばポリエチレン、ポリプロピレン、ポリ塩化ビニール等の樹脂シートをインフレーション加工等によってシームレスの長尺に成形したチューブ体が用いられる。包装用袋素材２は、このチューブ体を巻芯の外周部に巻回した後に、巻芯から取り外したコイル体を扁平に押し潰して形成する。包装用袋素材２は、内周側から端部２ａを外方へと引き出して、後述するようにパッケージ３からの取り出し部とする。なお、包装用袋素材２は、幅広のシート体を幅方向に適宜折り畳んだ状態で巻芯に巻回するようにしてもよい。
【００１１】
包装用袋素材２は、詳細を後述するように収納されたパッケージ３から端部２ａが引き出されるとともに適宜の位置で切断されることによって、適宜の長さを有するチューブ体を構成する。包装用袋素材２は、図３に示すように一端側に結び目４ａを作ったり結束ワイヤ等を結ぶことによって、切断長に応じた任意の大きさの包装用袋体４を構成する。包装用袋体４は、開口部４ｂ側から物品が入れられてこれを収納することにより、形状や大きさ或いは種類等に制限されることなく物品の収納を可能とする。なお、包装用袋体４は、物品を収納した後に開口部４ｂ側も結束することによって物品を封入することも可能とされる。
【００１２】
包装用袋体分配装置１は、パッケージ３が、図１及び図２に示すように、台紙５と、この台紙５の一方主面に接合されることによって包装用袋素材２を収納する収納空間部７を構成するブリスタ６とによって構成する。包装用袋体分配装置１は、詳細を後述する構成によって展示形態のままで持ち運び自在に使用することが可能であり、携帯性の向上が図られるとともにパッケージコストを大幅に低減されて廉価に提供される。
【００１３】
台紙５は、厚紙等によって、包装用袋素材２の外形よりも充分に大きな縦長矩形を呈して形成される。台紙５には、詳細を省略するが包装用袋体分配装置１の取り扱い事項や仕様等の記事が適宜印刷されている。台紙５には、上縁部５ａの略中央部に位置して、包装用袋素材２を切断する切断部８が設けられている。切断部８は、台紙５の上縁部５ａから高さ方向に切り込まれて形成されガイド溝９と、このガイド溝９と対向して題し５の内面に設けられたカッタ１０と、このカッタ１０を被覆する保護シート１１とから構成されている。切断部８は、ガイド溝９が、包装用袋素材２の端部２ａを差し入れるに足る溝幅を以って形成されている。
【００１４】
切断部８は、カッタ１０がガイド溝９の底部において刃先を臨ませるようにして台紙５に接合されて設けられている。切断部８は、保護シート１１が、カッタ１０を被覆するようにして台紙５の内面に接合されている。保護シート１１は、ウレタン樹脂等の比較的柔らかな素材が用いられ、ガイド溝９に対向する部位に高さ方向の切欠きを設けた略凹字状を呈している。保護シート１１は、カッタ１０の刃先を必要最小限の範囲でガイド溝９に臨ませることによって安全性が確保されるようにするとともに、収納空間部７に収納された包装用袋素材２を保護する。
【００１５】
ブリスタ６は、一般的なブリスタと同様に例えばポリ塩化ビニール等の透明若しくは半透明のプラスチック材によって成形される。ブリスタ６は、主面部６ａと、外周壁部６ｂと、接合フランジ部６ｃとかなり、全体薄箱状を呈して形成されている。主面部６ａは、やや扁平に押し潰した包装用袋素材２の外形よりもやや大きな外形を有する矩形を呈している。外周壁部６ｂは、主面部６ａの外周縁に沿って全周に亘って一体に立ち上がり形成され、包装用袋素材２の厚みとほぼ等しい高さを有している。接合フランジ部６ｃは、外周壁部６ｂに沿って外側に折曲して一体に形成されてなる。
【００１６】
ブリスタ６は、台紙５の主面に対して接合フランジ部６ｃを接合することにより、包装用袋素材２を収納する収納空間部７を構成する。ブリスタ６には、主面部６ａに包装用袋素材２の端部２ａを外部へと引き出す引出孔１２が形成されている。引出孔１２は、包装用袋素材２の端部２ａを絞り込んだ状態で外部へと引き出すようにする開口径を有する円孔からなり、主面部６ａに対してその上端部の近傍で略中央部に位置して形成されている。なお、引出孔１２については、開口の大きさが包装用袋素材２の端部２ａを絞り込んだ状態で引き出すようにすればよく、円孔に限定されず三角形や多角形或いはスリット形状であってもよい。
【００１７】
ブリスタ６には、主面部６ａの外側面に、商品名や仕様等の記事が適宜印刷されたシール体１３が貼り付けられている。シール体１３には、上端部にストラップ片１３ａが一体に形成されており、図１に示すようにこのストラップ片１３ａが引出孔１２を覆うようにしてブリスタ６の主面部６ａに貼着される。シール体１３は、少なくともストラップ片１３ａの裏面に粘着性の接着剤が塗布されており、ブリスタ６の主面部６ａに対して繰り返し剥離接合が可能とされる。
【００１８】
シール体１３は、ストラップ片１３ａが引出孔１２を覆うことによって、包装用袋体分配装置１が新品であることを識別する。シール体１３は、使用時にストラップ片１３ａが剥がされて引出孔１２から包装用袋素材２の端部２ａを引き出させるようにする。シール体１３は、使用後に、ストラップ片１３ａを引出孔１２を覆うようにして元のように再接合することにより、この引出孔１２から引き出された包装用袋素材２の端部２ａをブリスタ６の主面部６ａに貼り付けて保持する。
【００１９】
以上のよう構成された包装用袋体分配装置１においては、台紙５の主面上に包装用袋素材２を載置した状態でこれにブリスタ６を被せるようにして組み合わせる。包装用袋体分配装置１においては、ブリスタ６の接合フランジ部６ｃを台紙５に接合することによって、包装用袋素材２がパッケージ３の収納空間部７内に収納される。包装用袋体分配装置１においては、ブリスタ６に対してシール体１３が、そのストラップ片１３ａによって引出孔１２を覆うようにして貼り付けられる。
【００２０】
包装用袋体分配装置１においては、収納空間部７内において、引出孔１２に臨むシール体１３のストラップ片１３ａの裏面に端部２ａを貼り付けらるようにして包装用袋素材２を収納する。したがって、包装用袋体分配装置１においては、ストラップ片１３ａをブリスタ６から剥がすことにより、収納空間部７から包装用袋素材２の端部２ａが引き出されるようにする。包装用袋体分配装置１においては、端部２ａを強く引くことにより、図２に示すように包装用袋素材２が引出孔１２を介してパッケージ３の収納空間部７内からブリスタ６の主面部６ａ側に連続して繰り出される。
【００２１】
包装用袋体分配装置１においては、包装用袋素材２が、図２鎖線で示すようにブリスタ６の外周壁部６ｂの上面側を経由して台紙５の上縁部５ａ側へと引き回わされるとともに切断部８のガイド溝９内に導かれる。包装用袋体分配装置１においては、包装用袋素材２が、端部２ａをガイド溝９内を図２矢印で示すように下方へと押し下げられることによって、このガイド溝９内に臨んで設けたカッタ１０によって必要な長さに切断する。なお、包装用袋素材２は、上述したように一端部を結ばれることによって包装用袋体４を構成する。
【００２２】
包装用袋体分配装置１においては、包装用袋素材２が切断された状態で、ブリスタ６の主面部６ａ側から台紙５の上縁部５ａに引き回すことによってパッケージ３から充分な長さで端部２ａが引き出されるようにする。包装用袋体分配装置１においては、包装用袋素材２の端部２ａを、引出孔１２の開口部で挟み込むとともにシール体１３のストラップ片１３ａに貼り付けて保持するようにする。したがって、包装用袋体分配装置１においては、収納空間部７側から包装用袋素材２に引張り力が生じても、その端部２ａのパッケージ３の収納空間部７内への引き込みが確実に阻止されるようにする。包装用袋体分配装置１においては、パッケージ３に別部材からなる保持機構を不要として包装用袋素材２の引き込み防止を図ることで、構造の簡易化が図られる。
【００２３】
包装用袋体分配装置１は、パッケージ３が、上述したように台紙５とブリスタ６とからなる展示形態の極めて簡易な構造であり、薄型化も図られている。包装用袋体分配装置１は、パッケージ３のみによって包装用袋素材２の端部２ａをしっかりと保持して引き込み防止を図るように構成されている。したがって、包装用袋体分配装置１は、材料コストや組立工数の低減が図られて廉価に提供されるとともに、手軽に携行して必要な時に必要な大きさの包装用袋体４を素早く形成することが可能である。構造ままで持ち運びされて必要に応じて使用されることから、パッケージングの簡易化と携帯性の向上が図られるとともにパッケージコストを大幅に低減されて廉価に提供される。
【００２４】
【考案の効果】
以上詳細に説明したように、本考案にかかる包装用袋体分配装置によれば、台紙と包装用袋素材を封装したブリスタとからなる展示形態のパッケージのままで使用されることからパッケージコストが大幅に低減され、廉価に提供することが可能となる。包装用袋体分配装置によれば、全体が薄型に構成されるとともに包装用袋素材を引き出す引出孔と切断部との間隔も充分に保持されて切断端部が引出孔からパッケージ内に引き込まれることが確実に防止されることで、手軽に携行して必要な包装袋を形成することが可能である。
【図面の簡単な説明】
【図１】本考案の第１の実施の形態として示す包装用袋体分配装置の斜視図である。
【図２】同包装用袋体分配装置の要部縦断面図である。
【図３】包装用袋体の斜視図である。
【符号の説明】
１　　　　包装用袋体分配装置
２　　　　包装用袋素材
３　　　　パッケージ
４　　　　包装用袋体
５　　　　台紙
６　　　　ブリスタ
７　　　　収納空間部
８　　　　切断部
９　　　　ガイド溝
１０　　　カッタ
１１　　　保護シート
１２　　　引出孔
１３　　　シール体
１３ａ　　ストラップ片
【図１】
0003097437.tif 000003
【図２】
0003097437.tif 000004
【図３】
0003097437.tif 000005